(57)【特許請求の範囲】
【請求項１】
中空カテーテル（２）と、
前記中空カテーテル（２）の内腔（６）に配設された駆動ケーブル（１）と、
前記駆動ケーブルによって回転されるように前記駆動ケーブル（１）の遠位端に接続された駆動シャフト（５）と、
前記駆動シャフト（５）の近位端に結合された近位ハウジングと、
前記駆動シャフト（５）の遠位端に結合された遠位ハウジングと、
前記近位ハウジングと前記遠位ハウジングとの間に延びる複数本の線条体（１１）と、
前記近位ハウジングと前記遠位ハウジングとの間で前記駆動シャフトに配設されたプロペラ（４）と、
前記駆動シャフトの一部を支持する為に前記近位ハウジング内に位置される近位軸受（２５）と、
前記近位軸受の潤滑およびパージのために流体を前記中空カテーテル（２）に沿って前記近位軸受（２５）まで通過させるパージシステムと、
前記遠位軸受の潤滑およびパージのために流体を前記近位軸受から前記遠位軸受（２４）まで通過させるよう、前記駆動シャフト（５）内に配設された流路手段（２２）と、
を備える、心臓等を補助するために哺乳類の循環系に挿入するように意図されたカテーテルポンプにおいて、
前記駆動シャフトは、前記近位ハウジングと前記遠位ハウジングとの間に延びるスリーブによって囲繞され、前記スリーブは、前記駆動シャフトに沿って軸線方向に移動可能であり、前記流路手段は、前記駆動シャフトと前記スリーブとの間に配設されることを特徴とするカテーテルポンプ。
【請求項２】
前記流路手段が、前記シャフトおよび／または前記スリーブにおける溝を含むことを特徴とする、請求項１に記載のカテーテルポンプ。
【請求項３】
前記パージシステムが前記中空カテーテルに専用の穴（７）を備え、前記穴が前記流体を前記中空カテーテルの近位端からその遠位端まで通過させる目的のためにだけ使用されることを特徴とする、請求項１に記載のカテーテルポンプ。
【請求項４】
前記遠位軸受がリップシール（２３）を介して周囲の空間に接続されることを特徴とする、請求項１に記載のカテーテルポンプ。
【請求項５】
前記流体が前記内腔（６）内の駆動ワイヤの外側を前記遠位端から前記近位端の方向に通過することを特徴とする、請求項１に記載のカテーテルポンプ。
【請求項６】
前記中空カテーテル（２）を取り囲むシース（３）であって、複数本の線条体（１１）およびプロペラブレード（４）から構成されるケージを前記駆動シャフトに近接する折畳み位置から展開位置に展開するために軸線方向に移動可能であるシース（３）を備えることを特徴とする、請求項１に記載のカテーテルポンプ。
【請求項７】
前記プロペラが帯状体（１７）によって取り囲まれることを特徴とする、請求項１に記載のカテーテルポンプ。
【請求項８】
前記帯状体が膨張可能なリングを備えることを特徴とする、請求項７に記載のカテーテルポンプ。
【請求項９】
前記シース（３）が前記ケージを展開するために第１距離で移動可能であり、かつ前記プロペラブレード（４）を展開するために第２距離で移動可能であることを特徴とする、請求項６に記載のカテーテルポンプ。
【発明の詳細な説明】
【技術分野】
【０００１】
本発明は、例えば大腿動脈を介して哺乳類の体内に導入し、心臓の循環補助のために例えば大動脈内に配置するように意図されたカテーテルポンプに関する。カテーテルポンプは大動脈の左室弁護後に、または肺動脈の右室弁後に配設することができる。
【背景技術】
【０００２】
循環補助のための従来の装置は、本発明と同一発明者を有する米国特許第５，７４９，８５５号から公知である。該装置は駆動ケーブルを含み、駆動ケーブルの１端は駆動源に接続可能であり、駆動ケーブルの他端に折畳み式駆動プロペラがある。折畳み式駆動プロペラは、折畳み式駆動プロペラが駆動ケーブル上に折り畳まれた閉構成と、折畳み式駆動プロペラがインペラとして動作するように展開された開構成との間で、調整可能である。折畳み式駆動プロペラの片側と折畳み式駆動プロペラの反対側との間にスリーブが延び、スリーブは折畳み式駆動プロペラの開構成と閉構成との構成間で可動である。格子ケージがプロペラの周りに配設され、プロペラと同時に折り出される。
【０００３】
この装置は多くの状況で非常によく動作する。しかし、依然として改善の余地が存在する。例えば、プロペラが折り出される前に格子ケージが折り出されるならば、より安全になるであろう。加えて、プロペラを支持するシャフトは軸受で枢支する必要があり、そのような軸受は潤滑する必要がある。
【０００４】
他のカテーテルポンプとしては、米国特許出願公開第２００８／０１３２７４８号、米国特許出願公開第２００８／０１１４３３９号、国際公開第０３／１０３７４５号に記載のものが知られている。
【発明の概要】
【発明が解決しようとする課題】
【０００５】
したがって、本発明の目的は、上記で明らかにした欠陥および欠点の１つ以上を単独でまたは任意に組み合わせて軽減、緩和、または排除することである。
【課題を解決するための手段】
【０００６】
本発明の一態様によれば、請求項１に係るカテーテルポンプが提供される。
【０００７】
駆動シャフトはスリーブによって囲繞され、流路手段は、シャフトおよび／またはスリーブにおける溝として前記駆動シャフトと前記スリーブとの間に配設することができる。パージシステムは前記中空カテーテルに専用の穴を含むことができ、該穴は前記流体を中空カテーテルの近位端からその遠位端まで通過させる目的のためにだけ使用される。遠位軸受は、リップシールを介して周囲の空間に接続することができる。流体は、前記内腔内の駆動ワイヤの外側を遠位端から近位端の方向に通過することができる。
【０００８】
別の実施形態では、前記中空カテーテルを取り囲み、かつ複数本の線条体（ｆｉｌａｍｅｎｔ）およびプロペラブレードから構成されるケージを前記駆動シャフトに近接した折畳み位置から展開位置に展開するために軸線方向に移動可能であるシースが存在する。プロペラは帯状体によって取り囲むことができる。帯状体は膨張可能なリングを含むことがある。シースは、前記ケージを展開するために第１距離を移動可能とすることができ、かつ前記プロペラブレードを展開するために第２距離を移動可能とすることができる。
【０００９】
他の態様においては、請求項１０に係るカテーテルポンプが提供される。
【００１０】
前記プロペラのカム面と協働するようにばね付勢ボルトを配設することができる。一実施形態では、流体を駆動シャフトの近位側の近位軸受に提供するための前記中空カテーテル内の軸線方向内腔と、流体を駆動シャフトの遠位側の遠位軸受に提供するための前記駆動シャフト内の流路と、流体を遠位軸受から周囲に流出させるためのリップシールとを含むパージ流体システムを配設することができる。
【００１２】
本発明のさらなる目的、特徴、および利点は、図面に関連する本発明の実施形態についての以下の詳細な説明から明らかになるであろう。
【図面の簡単な説明】
【００１３】
【図１Ａ】本発明の実施形態に係るシステムの略斜視図である。
【図１Ｂ】本発明の実施形態に係る、挿入中の折り畳まれたポンプヘッドを示す断面図である。
【図１Ｃ】本発明の実施形態に係る、折りを広げた状態または展開状態のポンプヘッドを示す断面図である。
【図１Ｄ】図１Ｂにおける線Ｄ‐Ｄで切った断面図である。
【図２Ａ】カテーテル・ポンプ・ヘッドの展開された遠位部を示す部分切欠き斜視図である。
【図２Ｂ】図２Ａの円２Ｂで囲んだ中央部分の拡大図である。
【図３Ａ】プロペラシャフトの先端軸受を示す断面図である。
【図３Ｂ】プロペラシャフトの本体軸受を示す断面図である。
【図３Ｃ】図３Ａの一部分の部分切欠き断面図である。
【図４】プロペラシャフトの外面の長手方向流路を示すために外側摺動スリーブの部分が取り外された状態のプロペラシャフトを示す部分切欠き斜視図である。
【図５Ａ】プロペラブレードが折畳み位置から展開位置まで展開される過程における最初の段階を示す斜視図である。
【図５Ｂ】展開過程における図５Ａの次の段階を示す斜視図である。
【図５Ｃ】展開過程における図５Ｂの次段階を示す斜視図である。
【図５Ｄ】展開過程における最後の段階を示す斜視図である。
【図６Ａ】図５Ａ〜５Ｄに示したプロペラの展開機構を拡大して示す部分図である。
【図６Ｂ】図５Ａ〜５Ｄに示したプロペラの展開機構を拡大して示す部分図である。
【図６Ｃ】図５Ａ〜５Ｄに示したプロペラの展開機構を拡大して示す部分図である。
【図７】どのようにカテーテルポンプを他の治療装置および／または診断ツールと組み合わせて使用することができるかを示す端面斜視図である。
【図８】どのようにカテーテルポンプを他の治療装置および／または診断ツールと組み合わせて使用することができるかを示す端面斜視図である。
【図９】どのようにカテーテルポンプを他の治療装置および／または診断ツールと組み合わせて使用することができるかを示す端面斜視図である。
【図１０】どのようにカテーテルポンプを他の治療装置および／または診断ツールと組み合わせて使用することができるかを示す端面斜視図である。
【図１１】どのようにカテーテルポンプを他の治療装置および／または診断ツールと組み合わせて使用することができるかを示す端面斜視図である。
【図１２】どのようにカテーテルポンプを他の治療装置および／または診断ツールと組み合わせて使用することができるかを示す端面斜視図である。
【発明を実施するための形態】
【００１４】
以下で、図面を参照しながら、本発明の幾つかの実施形態について説明する。これらの実施形態は、当業者が本発明を実行することを可能にするために、かつ最良の形態を開示するために、例示を目的として記載するものである。しかし、そのような実施形態は本発明を制限するものではない。さらに、本発明の範囲内で様々な特徴の他の組合せが可能である。
【００１５】
「Ｒｅｉｔａｎカテーテル・ポンプ・システム」は、一実施形態に係る可撓性カテーテルの先端における折畳み式プロペラの概念に基づく一時的循環補助システムである。該システムは、生来の心臓が充分に酸素を含む血液で身体を支えることができないときに、心不全の患者に使用される。該システムの基本原理は、上に示した米国特許第５，７４９，８５５号に記載されたものに相当する。
【００１６】
幾つかの血液ポンプが市販されているが、それらのほとんどが植設するために大手術を必要とする。したがって、折畳み式プロペラの使用は、挿入中に折り畳まれた状態である間に、高流量の大型双翼プロペラを外科手術の必要なく体内に導入することを可能にするという利点を有する。プロペラはカテーテルの遠位端のポンプヘッドに配設される。プロペラに加えて、ポンプヘッドは、大動脈をプロペラから保護するためにプロペラを囲む６本の線条体から作られたケージをも含む。
【００１７】
挿入はイントロデューサシースを通して鼠径部の大腿動脈における穿刺を介して経皮的に達成され、ポンプは、左鎖骨下動脈から約５〜１０センチメートル下にポンプヘッドを配置して、胸部大動脈内に前進される。ひとたび位置に着くと、プロペラおよびその保護ケージは展開され、あるいは折りを広げられる。するとポンプはいつでも動作できる状態になる。プロペラの回転は大動脈内部に圧力勾配を発生させる。大動脈の上部に発生する血圧低下は、左室からの血液の駆出を促進する。大動脈の下部の圧力上昇は内部器官、特に腎臓の灌流を促進する。
【００１８】
ポンプは、近位端でＤＣモータに接続された内部回転ワイヤ付きの可撓性カテーテルに取り付けられる。モータは、特別に設計されたコンソールによって監視される調整可能な回転速度で動作する。
【００１９】
ポンプは、２０％グルコース溶液をプロペラシャフトの近位軸受に輸送する、潤滑およびパージ用の２つの小さい流路を持つパージシステムを有する。この流体の３分の２は患者の循環系に流入し、流体の３分の１は廃液バッグに戻る。戻り流体は駆動ワイヤに沿って通過し、駆動ワイヤは潤滑を受ける。
【００２０】
システムを折畳み式にする利点は、大手術無しに大きいプロペラを体内に導入することが可能なことである。折畳み式ポンプヘッドおよび可撓性カテーテルのサイズは直径が約１０フレンチ（３．３ｍｍ）である。
【００２１】
該システムは次の４つの主要な構成要素を含む。
１．カテーテルポンプヘッド
２．駆動ユニット
３．コンソール
４．パージセット
【００２２】
カテーテルは、ポンプが下行大動脈の鎖骨下動脈の５〜１０ｃｍ下に常駐するように、大腿動脈を通して大動脈内に前進するように設計されている。
【００２３】
カテーテルポンプヘッドは可撓性の外側カテーテルまたはシースと、内側の中空カテーテルとを備え、それらは保護ケージを展開し、プロペラケージ内でプロペラを開くために、相互に対して摺動する。内側カテーテルの中央内腔内を貫走する可撓性駆動ワイヤが存在する。内側カテーテルはまた、潤滑およびパージのために２０％グルコース溶液をポンプヘッドに輸送するための２つの小さい流路をも有する。流体の３分の１は内部駆動シャフト内腔を介して戻り、流体の３分の２は血液プールに加えられる。
【００２４】
ポンプヘッドは可撓性カテーテルの遠位端に取り付けられる。プロペラを囲繞する線条体は折り畳み可能であり、プロペラ／ケージシステムが展開されたときに、プロペラの周りに保護ケージを形成する。挿入中の折り畳まれたポンプヘッドは３．３ｍｍ（１０フレンチ）であるが、展開されたポンプヘッドは約１９．５ｍｍである。プロペラの回転は、内側カテーテルの中央内腔に配置された可撓性の駆動ワイヤを介して伝達される。
【００２５】
カテーテルの近位端（駆動連結）は磁界を介して、駆動ユニットに配置されたＤＣモータに接続される。ＤＣモータ、回転ワイヤ、およびプロペラの速度は調整可能であり、コンソールによって監視される。速度は１，０００から１５，０００ｒｐｍの間で調整することができる。
【００２６】
駆動ユニットは患者のベッドサイドに配置することできるように設計されており、カテーテルポンプに接続するための磁気継手を１端に有する。駆動ユニットの他端は電気ケーブルを介してコンソールに接続される。
【００２７】
コンソールの主な機能は、カテーテルポンプおよびパージ流体用の蠕動ポンプの速度を監視および制御することである。システムのための全てのコントロールおよび監視パラメータはタッチスクリーン上に表示される。コンソールはまた、駆動ユニット用のバッテリは電源装置をも含む。
【００２８】
パージシステムは、潤滑を行うよう構成され、かつ、ポンプの回転部品内への血液の流入を防止するように構成される。プロペラの回転は外部ＤＣモータから磁気継手およびカテーテルの中央部の可撓性ワイヤを介して伝達される。
【００２９】
パージシステムは、２０％無菌グルコース溶液を輸送して内部構成要素を潤滑するように、カテーテル内部の小さい流路から構成される。ヘパリンをパージ流体に添加してもよい。流体の３分の１は内側内腔中を逆輸送され、回転ワイヤを潤滑する。グルコース溶液の３分の２は患者の循環系に流入し、駆動シャフトを封鎖する。パージ流体の総量は２４時間当たり６００ｍｌ（毎分約０．４ｍｌ）に設定することができ、蠕動ポンプを介して輸送される。コンソールは蠕動ポンプの速度を制御する。
【００３０】
図１は、実施形態に係るシステムの概観を示している。該システムは、大腿動脈を介してヒトなどの哺乳類の体内に導入し、心臓の循環補助のために大動脈内に配置するように意図されたカテーテルＡを含む。カテーテルは、経皮的導入部位から例えば鼠径部の大腿動脈内、および大動脈弓まで延びることができるように、比較的長い。
【００３１】
カテーテルは、以下でさらに詳述するようにプロペラがケージ内に封入されたポンプヘッドを含む。ポンプヘッドは胸部大動脈内の大動脈内バルーン位置に配置することができる。他の位置も同様に使用することができる。
【００３２】
カテーテルの他端は近位端で哺乳類から外に延び、同じく以下でさらに詳述する駆動ユニットＢに接続される。駆動ユニットＢは、バッテリ、タッチ・スクリーン・ディスプレイ、およびコンピュータシステムを含むことのできる制御コンソールＣに接続され、それによって制御される。
【００３３】
カテーテルの遠位部分、すなわちポンプヘッドを図１Ｂおよび図１Ｃに示す。カテーテルは、可撓性であり、かつある程度屈曲することができるが、トルクを伝達することのできる駆動ワイヤ１を含む。駆動ワイヤ１は内側の中空カテーテル２内に封入され、該中空カテーテルは次に外側カテーテルまたはシース３に封入される。
【００３４】
本明細書において、表現「遠位」とは、経皮的導入部位とは逆側を向いているという意味を有し、「近位」とは、経皮的導入部位に対して「遠位」より近いという意味を有する。
【００３５】
駆動ワイヤ１、中空カテーテル２、およびシース３は、図１Ｂおよび図１Ｃに切断線で示すように、カテーテルポンプ全体に沿って延びる。
【００３６】
駆動ワイヤ１は遠位端で駆動シャフト５に接続される。折畳み式プロペラ４は、図１Ｂに示す折畳み位置でシャフトに取り付けられる。
【００３７】
図１Ｄの断面図に示す通り、内側カテーテル２は、中に駆動ワイヤ１が配設された中央内腔６を有するシリンダを含む。加えて、内側カテーテル２は、以下でさらに述べる通り、２つの軸穴７を含む。内側カテーテルは長手方向に比較的剛性であり、横方向に可撓性である。したがってカテーテルは、脈管系に挿入し、独力で所望の位置まで移動するのに充分な剛性を有する。カテーテルはまた、脈管系の湾曲に追従するだけの充分な可撓性をも有する。
【００３８】
カテーテルポンプを挿入するためにガイドワイヤを使用する場合、ガイドワイヤは穴７の１つの内側に延びることができる。
【００３９】
駆動ワイヤ１は、図１Ｄに示す通り小さい隙間をおいて中央内腔６内に収まる。隙間は、回転しないカテーテル２内で駆動ワイヤ１が自由に回転することができるように潤滑剤を含むことができる。シース３は隙間をおいて内側カテーテル２を囲繞する。シース３は、下で説明する通り、内側カテーテル２に対して軸線方向に移動可能である。
【００４０】
ポンプヘッドでは、駆動ワイヤ１の遠位端は、図１Ｂに示すように、駆動シャフトの近位端に配設されたニップル５ａに取り付けられる。駆動シャフトは、図１Ｂ、図３Ａおよび図３Ｂに示す通り、遠位軸受２４および近位軸受２５に枢支される。
【００４１】
近位ハウジング９および遠位ハウジング１０は、駆動シャフト５の遠位端および近位端に隣接して配設される。複数本の線条体１１がハウジング９とハウジング１０との間に配設される。折畳み位置では線条体１１は、図１Ｂおよび３Ｃに示す通り、駆動シャフト５と平行であり、駆動シャフトに近接して延びる。
【００４２】
駆動シャフト５はスリーブ８によって被覆され、該スリーブは駆動シャフト５上を軸線方向に移動可能である。図３Ｃに示す通り、折畳み位置で、スリーブ８は近位ハウジング９から延び、遠位ハウジングより短い距離２７だけ前で終端する。
【００４３】
遠位ハウジング１０は駆動シャフト５を介して内側カテーテル２および駆動ワイヤ１に取り付けられる。近位ハウジング９は、図２Ａから分かるように、外側カテーテルまたはシース３に取り付けられる。外側カテーテル３は、内側カテーテル２に対して軸線方向に移動可能である。外側カテーテル３が図２Ａで下向きの方向に移動すると、近位ハウジング９は遠位ハウジング１０に向かって前進し、その結果、図２Ａに示すようにケージを形成するために、線条体１１が屈曲する。線条体１１のそのような屈曲は、線条体１１の真ん中に近い部分の内側に配設された弱化線２６によって促進することができる（図４参照）。
【００４４】
ケージが最初に形成されたときに、外側カテーテル３および近位ハウジング９が遠位ハウジング１０に向かって連続的に移動する結果、折り畳まれたプロペラは、以下で図５Ａ〜５Ｄに関連してさらに述べる通り、図２Ａに示す位置に広げられる。
【００４５】
こうして形成されたケージは、血管２０の内壁をプロペラから保護する。ケージはプロペラが展開される前に、プロペラの展開と同じ動きによって展開されるので、プロペラが展開される前にケージが形成されることが確実になる。したがって、プロペラの展開中にも血管はプロペラから保護されるという点で有利である。
【００４６】
図２Ｂに示す通り、プロペラ４は、駆動シャフト５を貫通して延びるプロペラピン１３によって枢支される２つのブレード４を含む。さらに、各プロペラブレードは、ばねボルト１４およびスリーブ８に取り付けられた作動ピン１５と協働するためのカム面１２を含む。
【００４７】
外側カテーテル３および近位ハウジング９の遠位ハウジング１０の方向に向かう完全な移動は、図３Ｃに示し、上述した短い距離２７に対応する。
【００４８】
図３Ｂに示す通り、駆動シャフトの外面に、スリーブ８の内側で駆動シャフト全体に沿って延びる幾つかの流路２２が設けられる。
【００４９】
潤滑剤およびパージ流体は、経皮的部位で身体から外に延びる内側カテーテル２の端部で、穴７の一方または両方に導入される（図１Ｄ参照）。流体は、図３Ｂに示すようにニップル５ａに隣接する穴７から流出する。線２８によって示される流体は、軸受をパージし、血液が軸受に逆方向に流入するのを防止するために、ニップル５ａを一周して近位軸受２５を潤滑し、軸受の外側の血液に送り込む。
【００５０】
加えて、流体は流路２２に流入し、遠位ハウジングに向かって通過する。
【００５１】
さらに、流体の一部分は、図１Ｄに示すように、内側カテーテル２と中央内腔６の内部の可撓性駆動ワイヤ１との間の隙間内に迂回される。この流体は駆動ワイヤを潤滑し、駆動ワイヤが円滑に動作することを確実にする。この流体は経皮的部位に戻り、回収される。このようにして戻る流体の部分は総流量の約３分の１である。
【００５２】
近位ハウジング９で流路２２に流入する流体は、図３Ａに線２９で示すように、遠位ハウジング１０で流路２２から流出する。流体は遠位軸受２４を一周して軸受を潤滑する。流体はスリーブ８の外側を通り、スリーブ８の周囲に配設されたリップシール２３の先まで通過する。スリーブ８は、線条体およびプロペラが折り畳まれたときの図３Ｃに示す位置と、プロペラおよびケージが展開されたときの図３Ａに示す位置との間で、リップシール２３に対して移動可能である。流体は最終的にリップシール２３を介して血管内に流入し、血液が逆方向に通過するのを防止する。
【００５３】
この構成によって、近位軸受２５および遠位軸受２４は両方とも流体によって潤滑され、また、流体は近位ハウジング９および遠位ハウジング１０の内側をパージするので、血液はハウジングの内側に流入することができない。
【００５４】
図３Ｃに示す通り、ケージおよびプロペラが折畳み位置にあるときでも、流路２２は遠位ハウジングの内側に開いている。したがって、ケージおよびプロペラを展開する前、およびプロペラ推進動作を開始する前に、パージ流体を提供するという点で有利である。
【００５５】
代替的にまたは追加的に、流路２２は、外側摺動スリーブ８の内面に配置するか、あるいは駆動シャフトの中央の軸穴として配設することができる。駆動シャフト５およびスリーブ８は両方とも共通して回転する。
【００５６】
図５Ａ〜５Ｄを参照しながら、プロペラの展開について説明する。線条体１１を持つ展開されたケージは示されていないので、他の細部が明瞭に見える。
【００５７】
図５Ａおよび６Ｂから分かるように、プロペラブレード４の折畳み位置で、ばねボルト１４はプロペラブレードのカム面１２ａと係合し、プロペラブレードを折畳み位置に維持する。ばねボルト１４はばね１６によって付勢される（図６Ｂ参照）。
【００５８】
２つの作動ピン１５がスリーブ８に配設される。ケージを展開するためにスリーブ８が下方に前進すると、作動ピン１５が図５Ｂに示す位置まで移動し、プロペラブレードの第２カム面１２ｂに作用する。
【００５９】
スリーブ８が下方にさらに移動すると、カム面１２ｂが下方に移動し、それによって図５Ｃおよび図６Ａに示すようにプロペラブレードがプロペラピン１３の周りを枢動する。この動作はばねボルト１４によって対抗される。ばねボルトは、図５Ｃ、図５Ｄおよび図６Ａに示すように、カムショルダ１２ｃを通過させられる。
【００６０】
スリーブ８がさらに下方に移動すると、プロペラが図２Ｂに示す位置まで開く。反対側の作動ピン１５はプロペラブレード４が９０度を超えて位置を移動することを防止する。
【００６１】
プロペラが完全に展開されると、図２Ｂから分かるように、ばねボルト１４はプロペラブレードのカム面との接触を失う。この位置で、プロペラブレードは作動ピン１５によってロックされる。
【００６２】
作動ピン１５の逆の動きによりプロペラブレードは折畳み位置に後退する。次いで、ケージは折畳み位置に縮閉される。
【００６３】
こうして、プロペラが開かれる前に、ケージが開かれ、または展開されることが分かる。プロペラは、部分的にまたは完全に展開されたケージ内で開かれる。これは、プロペラブレードの展開中に、血管の壁を鋭利な刃の危険性から保護する。
【００６４】
図７は、線条体の外側の位置で線条体を囲む帯状体１７がケージに設けられた、カテーテルポンプの別の実施形態を示す。この構成は、ポンプの動作に影響を及ぼすことなく、あるいはプロペラブレードの回転中にプロペラブレードと接触することなく、カテーテルポンプに通すことのできるガイドワイヤ１８の追加を可能にする。
【００６５】
代替的にまたは追加的に、ガイドチューブ１９を血管２０に挿入して、ポンプヘッドを通すことができる。ガイドワイヤ１８および／またはガイドチューブ１９を用いて、治療装置２１を挿入することができる。治療装置２１は、冠血管拡張およびステント留置装置、超音波冠動脈装置、薬剤送達装置、左室圧測定装置、圧容積ループ用のコンダクタンスカテーテル、左室の電気生理用のカテーテル、マイクロカメラ、ビデオカメラ、バルーンカテーテル、冠動脈形成術カテーテル等とすることができる。
【００６６】
図８は、図７に係る構成を示す端面図である。
【００６７】
図９に示す通り、帯状体１７は膨張可能なリングとして構成することができる。この方法により、血管２０の壁に沿った血液の逆流を軽減することができる。さらに、そのようなリングが無い場合の逆流の流動パターンを図１０に示す。
【００６８】
図１１は、心臓に近い位置の大動脈内に挿入されたカテーテルポンプを示す。ガイドチューブ１９はカテーテルポンプの外側に延在する。ガイドチューブ１９はガイドワイヤ１８の助けを借りて挿入される。少なくともガイドワイヤ１８の挿入は、カテーテルポンプの挿入およびケージ１１の展開の前に達成することができる。帯状体１７は、ガイドワイヤ１８のみならずガイドチューブ１９がプロペラ４と接触することをも防止する。
【００６９】
体外で、カテーテル装置Ａは図１に示すように駆動ユニットＢに接続される。駆動ユニットは、そのシャフトに配設されたラジアルディスクを有する電動モータを備える。ディスクは、ディスクの表面に取り付けられた複数個の永久磁石を含む。可撓性駆動ワイヤ１は、永久磁石が設けられた同様のディスクで終端する。モータのディスクおよび駆動ワイヤのディスクは、相互に近接位置に運ばれる。すると、磁石は２個のディスクを引き付けて一体に接続させる。このようにして、モータからのトルクを駆動ワイヤに伝達することができる。例えばプロペラが遮断されていることによって駆動ワイヤが回転を阻止される場合、駆動ディスクの磁石は分離する。次いでモータが停止され、ディスクの磁石が整列して引き付けられるようになるまで、モータからトルクは実質的に伝達されない。これは安全対策である。
【００７０】
駆動ユニットＢはさらに、パージ流体を内側カテーテル２の穴７内に駆動させる蠕動ポンプを備える。パージ流体が別個の流路の内側を近位ハウジング９、およびさらに遠位ハウジング１０まで通過するという点が有利である。もしそうではなく、パージ流体が駆動ワイヤの外側を通過するならば、駆動ワイヤの小粒子が遊離して軸受を汚染する可能性があるというリスクがある。
【００７１】
パージ流体は、駆動シャフト５に配設された流路２２の内側を通過する。したがって、近位ハウジングと遠位ハウジングとの間に別個の部材は必要ない。パージ流体は、リップシール２３を介する以外に遠位ハウジングから漏出する方法はない。
【００７２】
カテーテルポンプは、左室弁後の大動脈内に、または右室弁後の肺動脈内に配設することができる。カテーテルポンプは心臓弁に隣接して、または大動脈もしくは動脈をさらに下った任意の適切な位置に配設することができる。
【００７３】
カテーテルポンプは、患者のニーズに合わせて調整された一定速度で駆動することができる。必要ならば、カテーテルポンプは脈動流または部分的脈動流により、例えば心臓と実質的に同期して、駆動させることができる。
【００７４】
カテーテルポンプは拍動する心臓を補助するように意図されている。しかし、カテーテルポンプは心臓手術中に心臓が拍動していないときにも使用することができる。
【００７５】
本発明を特定の実施形態に関連して上述したが、本発明を本明細書に記載する特定の形に限定する意図はない。むしろ、本発明は添付の特許請求の範囲によってのみ限定され、特に上述した実施形態以外の実施形態も、添付の特許請求の範囲内で同様に可能である。
【００７６】
特許請求の範囲において、用語「備える／備えた」は、他の要素またはステップの存在を除外するものではない。さらに個別に列挙したが、複数の手段、要素、または方法ステップは例えば単一のユニットまたはプロセスによって実現されてもよい。加えて、個々の特徴は異なる請求項に含まれてもよく、これらを組み合わせることが有利であり得、異なる請求項に含まれることは、特徴の組合せが実現不能および／または不利であることを含意するものではない。加えて、単数形の言及は複数形を除外するものではない。語「ａ」、「ａｎ」、「第１」、「第２」等は、複数形を排除するものではない。請求項における参照符号は単に説明を明確にする例として提供するものであって、いかなる形でも特許請求の範囲を限定するものと解釈してはならない。
【図１Ａ】
0005473085.tif 000002
【図１Ｂ】
0005473085.tif 000003
【図１Ｃ】
0005473085.tif 000004
【図１Ｄ】
0005473085.tif 000005
【図２Ａ】
0005473085.tif 000006
【図２Ｂ】
0005473085.tif 000007
【図３Ａ】
0005473085.tif 000008
【図３Ｂ】
0005473085.tif 000009
【図３Ｃ】
0005473085.tif 000010
【図４】
0005473085.tif 000011
【図５Ａ】
0005473085.tif 000012
【図５Ｂ】
0005473085.tif 000013
【図５Ｃ】
0005473085.tif 000014
【図５Ｄ】
0005473085.tif 000015
【図６Ａ】
0005473085.tif 000016
【図６Ｂ】
0005473085.tif 000017
【図６Ｃ】
0005473085.tif 000018
【図７】
0005473085.tif 000019
【図８】
0005473085.tif 000020
【図９】
0005473085.tif 000021
【図１０】
0005473085.tif 000022
【図１１】
0005473085.tif 000023